(57)【要約】【課題】  ６０Ｈｚのプルダウン信号を内挿処理して１２０Ｈｚの映像信号を出力することができるフレーム内挿装置を提供する。【解決手段】６０Ｈｚのフレーム信号（Ｆ０１）を受け、これがプルダウン信号であると判断すればプルダウン検出信号を出力する検出部と、６０Ｈｚのフレーム信号に基づいて第１の挿入パターンによる１２０Ｈｚの第１フレーム信号（ＦＮ１，ＦＮ３）及び第２の挿入パターンの１２０Ｈｚの第２フレーム信号（ＦＮ２，ＦＮ４）を生成する生成部と、プルダウン検出信号を受けない場合は第１の挿入パターンによる第１フレーム信号（ＦＮ１，ＦＮ３）を出力し、プルダウン検出信号を受けた場合は第２の挿入パターンの１２０Ｈｚの第２フレーム信号（ＦＮ２，ＦＮ４）を出力する選択部をもつフレーム内挿装置。【選択図】図１
2008141402.tif 000002
【特許請求の範囲】
【請求項１】
５０Ｈｚまたは６０Ｈｚのフレーム信号を受け、フレーム信号がプルダウン信号であるか否かを検出する検出部と、
前記５０Ｈｚまたは６０Ｈｚのフレーム信号に基づいて、第１の挿入パターンによる１００Ｈｚまたは１２０Ｈｚの第１フレーム信号を生成する第１生成手段と、
前記５０Ｈｚまたは６０Ｈｚのフレーム信号に基づいて、第２の挿入パターンによる１００Ｈｚまたは１２０Ｈｚの第２フレーム信号を生成する第２生成手段と、
前記フレーム信号がプルダウン信号でない場合には前記第１生成手段から受けた第１フレーム信号を出力し、前記フレーム信号がプルダウン信号の場合には前記第２フレーム信号を出力する選択部と、
を具備することを特徴とするフレーム内挿装置。
【請求項２】
前記検出部は、６０Ｈｚのフレーム信号を受け、２−３プルダウン信号を検出することを特徴とする請求項１記載のフレーム内挿装置。
【請求項３】
前記検出部は、５０Ｈｚのフレーム信号を受け、２−２プルダウン信号を検出することを特徴とする請求項１記載のフレーム内挿装置。
【請求項４】
前記第２生成手段は、前記６０Ｈｚの２−３プルダウン信号の各フレームが、“Ａ”“Ａ”“Ｂ”“Ｂ”“Ｂ”“Ｃ”“Ｃ”……と与えられるとき、前記１２０Ｈｚの各フレームを“Ａ”“Ａ”“Ａ”“ＡＢ”“ＡＢ”“Ｂ”“Ｂ”“Ｂ”“ＢＣ”“ＢＣ”“Ｃ”“Ｃ”“Ｃ” ……と生成することを特徴とする請求項１記載のフレーム内挿装置。
【請求項５】
前記第２生成手段は、前記５０Ｈｚの２−２プルダウン信号の各フレームが、“Ａ”“Ａ”“Ｂ”“Ｂ”“Ｃ”“Ｃ”……と与えられるとき、前記１００Ｈｚの各フレームを“Ａ”“Ａ”“ＡＢ”“ＡＢ”“Ｂ”“Ｂ”“ＢＣ”“ＢＣ”“Ｃ”“Ｃ” ……と生成することを特徴とする請求項１記載のフレーム内挿装置。
【請求項６】
５０Ｈｚまたは６０Ｈｚのフレーム信号を受け、フレーム信号がプルダウン信号であるか否かを検出する検出部と、
前記５０Ｈｚまたは６０Ｈｚのフレーム信号に基づいて、第１の挿入パターンによる１００Ｈｚまたは１２０Ｈｚの第１フレーム信号を生成する第１生成手段と、
前記５０Ｈｚまたは６０Ｈｚのフレーム信号に基づいて、第２の挿入パターンによる１００Ｈｚまたは１２０Ｈｚの第２フレーム信号を生成する第２生成手段と、
前記フレーム信号がプルダウン信号でない場合は前記第１フレーム信号を出力し、前記フレーム信号がプルダウン信号の場合は前記第２フレーム信号を出力する選択部と、
前記選択部から与えられた前記１００Ｈｚまたは前記１２０Ｈｚの第２フレーム信号に基づき、映像を画面に表示する表示部を具備することを特徴とする画像表示装置。
【請求項７】
前記検出部は、６０Ｈｚのフレーム信号を受け、２−３プルダウン信号を検出することを特徴とする請求項６記載の画像表示装置。
【請求項８】
前記検出部は、５０Ｈｚのフレーム信号を受け、２−２プルダウン信号を検出することを特徴とする請求項６記載の画像表示装置。
【請求項９】
５０Ｈｚまたは６０Ｈｚのフレーム信号を受け、フレーム信号がプルダウン信号であるか否かを検出し、
前記５０Ｈｚまたは６０Ｈｚのフレーム信号に基づいて、第１の挿入パターンによる１００Ｈｚまたは１２０Ｈｚの第１フレーム信号を生成し、
前記５０Ｈｚまたは６０Ｈｚのフレーム信号に基づいて、第２の挿入パターンによる１００Ｈｚまたは１２０Ｈｚの第２フレーム信号を生成し、
前記フレーム信号がプルダウン信号でない場合は前記第１フレーム信号を出力し、
前記フレーム信号がプルダウン信号である場合は前記第２フレーム信号を出力することを特徴とするフレーム内挿方法。
【発明の詳細な説明】
【技術分野】
【０００１】
この発明は、フレーム内挿装置に関し、特にプルダウン信号を扱うフレーム内挿装置及びフレーム内挿方法並びに画像表示装置に関する。
【背景技術】
【０００２】
最近、大型の液晶表示装置等の平面表示装置が、従来のブラウン管表示装置に代わり開発され普及してきている。このような液晶表示装置においては、映像信号が例えばＮＴＳＣであれば６０Ｈｚ（ＰＡＬ，ＳＥＣＡＭであれば５０Ｈｚ）の規格により表示されている。これに対して、シネマ信号であれば、毎秒２４フレームで作成されているため、このままではテレビジョンに表示することができず、プルダウン処理を施す必要がある。
【０００３】
特許文献１は、２４Ｈｚのシネマ信号２枚に対し、内挿フレームを１枚作成することで、２４Ｈｚを４８Ｈｚの動画にし、その４８Ｈｚのフレーム４枚毎にオリジナルフレームを２枚続けて表示して、４枚のフレームを５枚にし、４８Ｈｚを６０Ｈｚにするという方法を示している。
【特許文献１】特開２００４−１５９２９４号公報
【発明の開示】
【発明が解決しようとする課題】
【０００４】
しかし、特許文献１の従来技術は、以下のような課題を解決することができない。すなわち、例えば、６０Ｈｚの映像信号が与えられた表示装置である液晶表示装置において、動きの早い映像等にがたつきや残像が発生するという課題があるがこのような課題には対応することができない。この従来技術では、４枚のフレームを内挿することで、１２０Ｈｚ表示するという映像信号の処理方法も述べられてはいるが、オリジナルフレーム２枚から複数枚の内挿フレームを作成するには、回路規模が非常に大きくなってしまうため困難である。従って、表示装置の内部等で６０Ｈｚの映像信号に内挿処理を施すことで例えば１２０Ｈｚの映像信号等にして滑らかな映像を実現するという課題には対応していないという問題がある。更に、この従来技術は、６０Ｈｚの映像信号がプルダウン信号であるか否かに基づき異なる処理を行なって、より円滑な映像表示を行なうことが開示されていないという問題がある。
【０００５】
本発明は、６０Ｈｚのプルダウン信号を内挿処理して１２０Ｈｚの映像信号を出力することができるフレーム内挿装置及びフレーム内挿方法並びに画像表示装置を提供することを目的とする。
【課題を解決するための手段】
【０００６】
課題を解決するための一実施形態として、
５０Ｈｚまたは６０Ｈｚのフレーム信号を受け、フレーム信号がプルダウン信号であるか否かを検出する検出部（１６）と、前記５０Ｈｚまたは６０Ｈｚのフレーム信号に基づいて、第１の挿入パターンによる１００Ｈｚまたは１２０Ｈｚの第１フレーム信号（ＦＮ１，ＦＮ３）を生成する第１生成手段（１２，１３，１４，１５）と、前記５０Ｈｚまたは６０Ｈｚのフレーム信号に基づいて、第２の挿入パターンによる１００Ｈｚまたは１２０Ｈｚの第２フレーム信号（ＦＮ２，ＦＮ４）を生成する第２生成手段（１２，１３，１４，１５）と、前記フレーム信号がプルダウン信号でない場合には前記第１生成手段から受けた第１フレーム信号（ＦＮ１，ＦＮ３）を出力し、前記フレーム信号がプルダウン信号の場合には前記第２フレーム信号（ＦＮ２，ＦＮ４）を出力する選択部（１７）を具備することを特徴とするフレーム内挿装置である。
【発明の効果】
【０００７】
６０Ｈｚ（５０Ｈｚ）のフレーム信号がプルダウン信号であれば、非プルダウン信号とは異なる内挿処理を行なうことで滑らかな映像表示を可能とするフレーム内挿装置である。
【発明を実施するための最良の形態】
【０００８】
以下、この発明の実施の形態について図面を参照して詳細に説明する。
【０００９】
＜本発明に係る一実施形態であるフレーム内挿装置＞
次に、本発明に係る一実施形態であるフレーム内挿装置の一例を図１を用いて詳細に説明する。図１は、本発明の一実施形態に係るフレーム内挿装置の構成の一例を示すブロック図である。図２は、本発明の一実施形態に係るフレーム内挿装置に含まれるプルダウン検出回路の構成の一例を示すブロック図である。
【００１０】
本発明に係る一実施形態であるフレーム内挿装置１は、図１に示すように、５０Ｈｚ（ＰＡＬ，ＳＥＣＡＭ仕様）または６０Ｈｚ（ＮＴＳＣ仕様）の現フレーム信号が供給され現フレーム信号を遅延して一フレーム遅延信号を生成するフレーム遅延回路１１と、フレーム遅延回路１１の出力を更に遅延するフレーム遅延回路１２と、現フレーム信号と一フレーム遅延信号から内挿フレームを生成する内挿フレーム生成回路１３を有する。更に、フレーム内挿装置１は、内挿フレーム生成回路１３の出力に接続されフレーム遅延を行なうフレーム遅延回路１４と、フレーム遅延回路１４を再びフレーム遅延するフレーム遅延回路１５と、現フレーム信号と１フレーム遅延信号からプルダウン信号を検出するプルダウン検出回路１６を有している。更に、フレーム内挿装置１は、フレーム遅延回路１２とフレーム遅延回路１５とフレーム遅延回路１４とプルダウン検出回路１６のプルダウン検出信号Ｐ１及びプルダウン位相信号Ｐ２が供給される出力フレーム選択回路１７を有しており、出力フレーム選択回路１７からは、１００Ｈｚ（ＰＡＬ，ＳＥＣＡＭ仕様）または１２０Ｈｚ（ＮＴＳＣ仕様）の出力フレームが出力される。
【００１１】
更に、プルダウン検出回路１６は、その詳細が図２に示されており、現フレーム信号が供給される遅延部２１と、現フレーム信号及び１フレーム遅延信号がそれぞれ供給される水平垂直ＬＰＦ２２，２３と、それぞれの出力の差分を検出するフレーム間差分絶対値回路２４と、この値を積分処理する小領域内積分２５と、動ブロックの存在を判定する動ブロック判定回路２６と、画面内の動ブロックの数をカウントする画面内動ブロック数カウント２７と、判定レベルを参照して動フレームを判定する動フレーム判定回路２８と、この結果によりプルダウンパターンが存在したかどうかを検出するプルダウンパターン検出回路２９を有している。
【００１２】
このような構成を有するフレーム内挿装置１において、出力フレーム選択回路１７は、プルダウン検出信号Ｐ１、及びプルダウン位相信号Ｐ２を元に、出力するフレームを２フレーム遅延オリジナル信号Ｆ３と、現フレーム内挿信号Ｆ４を１フレーム遅延させた１フレーム遅延内挿信号Ｆ５と、１フレーム遅延内挿信号Ｆ５を更に１フレーム遅延させた２フレーム遅延内挿信号Ｆ６の３つの信号から選択して出力を行う。
【００１３】
通常は２フレーム遅延オリジナル信号Ｆ３と１フレーム遅延内挿信号Ｆ５が交互に出力されるが、プルダウン信号を検出した場合は、同時に検出したプルダウン位相に応じて出力するフレームをオリジナルフレームから１フレーム遅延内挿信号Ｆ５、または２フレーム遅延内挿信号Ｆ６に切り替える。
【００１４】
上記のような処理を行うことにより、従来の装置に比べて、大規模な回路などは必要とせず、かつ、プルダウン処理されたシネマ信号が入力された場合でも、動画シーンをスムーズに表示することが可能となっている。以下に、このフレーム内挿処理を図面を用いて詳細に説明する。
【００１５】
＜本発明に係る一実施形態であるフレーム内挿処理＞
次に、本発明に係る一実施形態であるフレーム内挿処理を図面を用いて、詳細に説明する。
【００１６】
この実施形態のフレーム内挿処理の２つのポイントをあげる。
【００１７】
１．現フレーム信号とそれを１フレーム遅延させた１フレーム遅延信号より新規のフレームを作成、内挿処理を行い、かつプルダウン信号を検出する装置において、通常は現フレーム信号と１フレーム遅延信号との間に新規作成した内挿フレームを挿入し、オリジナルフレームと内挿フレームを交互に出力するが、プルダウン信号を検出し、かつプルダウンシーケンスのうち特定の位相時は、出力するフレームの順序を変更し、オリジナルのフレームを出力する代わりに内挿フレームを出力する。
【００１８】
２．現フレーム信号と１フレーム遅延信号より相関関係を検出し、その相関関係がプルダウンシーケンスに一致するかどうかを判定し、一致した場合はプルダウン検出信号、及びプルダウンシーケンス中のどの位相であるかのプルダウン位相信号を出力する。
【００１９】
（シネマ信号を一度に１２０フレームの倍速表示とすることの困難性）
シネマ信号を秒間１２０(１００)フレームの倍速表示を行う場合、秒間２４コマのシネマ信号から、複数枚の内挿フレームを作成することで、秒間１２０(１００)フレーム出力を行う方法や、シネマ信号を２−３／２−２プルダウン処理し、秒間６０(５０)フレームにしたプルダウン信号をオリジナルフレームとして扱い、そのプルダウン信号から内挿フレームを作成する方法などが考えられる。図３は、２４コマのシネマ信号を１２０フレームの映像信号に変換する際の模式図、図４は、２４コマのシネマ信号を１００フレームの映像信号に変換する際の模式図である。
【００２０】
図３に示すとおり、２枚のオリジナルフレームからそれぞれ異なる内挿フレームを４枚作成することにより、秒間１２０フレームの倍速表示が可能となる。しかし、非常に大きな回路を必要とするため、実現するのは非常に困難である。図４に示すとおり、２枚のオリジナルフレームからそれぞれ異なる内挿フレームを３枚作成することにより、秒間１００フレームの倍速表示が可能となる。しかし、図３の場合同様、実現するには非常に大きな回路を必要とする。
【００２１】
図３及び図４に示したような２枚のオリジナルフレームから複数枚の内挿フレームを作成するためには非常に大きな回路が必要となるため、実用上困難である。そのため、従来はプルダウン処理された信号をオリジナルフレームとして扱い、内挿フレームを作成することが一般的である。
【００２２】
（フローチャートを用いた内挿処理の説明）
図５は、本発明の一実施形態に係るフレーム内挿装置の内挿処理の一例を示すフローチャートである。なお、以下の図５のフローチャートの各ステップは、回路ブロックに置き換えることができ、従って、各フローチャートのステップは、全てブロックに定義しなおすことが可能である。
【００２３】
図５のフローチャートにおいて、図１に示す出力フレーム選択回路１７は、プルダウン信号が検出されていない場合（ステップＳ１１）、ステップＳ１３に進み、オリジナルフレームと１フレーム後のオリジナルフレームとの内挿フレームを交互に出力する（ステップＳ１３）。
【００２４】
しかし、出力フレーム選択回路１７は、２−３プルダウン信号を検出した場合は（ステップＳ１１）、プルダウン位相によってはオリジナルフレームを出力しない。
【００２５】
プルダウン位相が「ＡＡ[Ｂ]ＢＢ」の場合は（ステップＳ１５）、出力フレーム選択回路１７は、１フレーム前との内挿フレームと１フレーム後との内挿フレームを出力する（ステップＳ１７）。しかし、「ＡＡＢＢ[Ｂ]」の時には（ステップＳ１６）、出力フレーム選択回路１７は、１フレーム後との内挿フレームを連続して出力する（ステップＳ１４）。同様に２−２プルダウンを検出し（ステップＳ１１）、かつプルダウン位相が「Ａ[Ａ]」の場合は（ステップＳ１２）、出力フレーム選択回路１７は、その１フレーム後との内挿フレームを連続出力するものである（ステップＳ１４）。
【００２６】
（６０Ｈｚフレームの内挿処理）
次に、具体的なフレーム処理を図面を用いて説明する。図６は、本発明の一実施形態に係るフレーム内挿装置の２−３プルダウン信号の内挿処理の一例を示す説明図である。
【００２７】
図６の２−３プルダウン信号（６０フレーム／s）Ｆ０１に示すように、通常、シネマ信号は秒間２４コマである為、シネマ信号１コマから同一のフレームを３枚連続し、次のコマのシネマ信号からは同一のフレームが２枚連続して表示するプルダウン処理を行い、これを繰り返すことによって秒間６０フレームの２−３プルダウン信号に変換されて表示される。そのため、２−３プルダウンシーンでは「３−２−３−２−・・・」という周期で同一のフレームが表示される。
【００２８】
その２−３プルダウン信号に対して、図６の通常フレーム内挿信号ＦＮ１に示すように、出力されるフレームの周期が「３−１−５−１−３−１−・・・」となり、スムーズな出力順序ではなくなる。
【００２９】
そこで、図７のフレーム内装装置１に
現フレームオリジナル信号Ｆ１、及び１フレーム遅延オリジナル信号Ｆ２から２−３プルダウン信号Ｐ１を検出した場合は、図６の２−３プルダウン時のフレーム内挿信号ＦＮ２に示すように、オリジナルフレームと内挿フレームを交互に出力するだけでなく、プルダウンシーケンスのうち特定の位相（元のシネマ信号が切り替わる位相）の時、つまり、「３−１−５−１−３−・・・」と周期的に出力されるフレームのうち、同一のフレームが５枚連続して出力されるフレームの最初と最後のフレームを出力する際（Ｒ１，Ｒ２）は、オリジナルフレームではなくその前後の内挿フレームを出力することで、スムーズな動画を出力することが可能となる。
【００３０】
（５０Ｈｚフレームの内挿処理）
次に、５０Ｈｚフレームの内挿処理を図７を用いて説明する。図７は、本発明の一実施形態に係るフレーム内挿装置の２−２プルダウン信号の内挿処理の一例を示す説明図である。
【００３１】
図７において、２−３プルダウン信号の場合と同様、シネマ信号は秒間２４コマである為、シネマ信号１コマから同一のフレームを２枚連続して表示するプルダウン処理を行い、これを繰り返すことによって秒間５０フレームの２−２プルダウン信号に変換されて表示される。そのため、図７の２−２プルダウン信号（５０フレーム／ｓ）Ｆ０２は、２−２プルダウンシーンでは「２−２−２−２−・・・」という周期で同一のフレームが表示される。
【００３２】
図７の通常のフレーム内挿信号（１００フレーム／ｓ）ＦＮ３に示すように、その２−２プルダウン信号に対して従来のフレーム内挿処理を適用した場合、出力されるフレームの周期が「３−１−３−１−・・・」となり、スムーズな出力順序ではなくなる。
【００３３】
そこで、図１のフレーム内挿装置１に示される現フレームオリジナル信号Ｆ１及び１フレーム遅延オリジナル信号Ｆ２から２−２プルダウン信号を検出した場合は、図７の２−２プルダウン時のフレーム内挿信号（１００フレーム／ｓ）ＦＮ４に示すように、オリジナルフレームと内挿フレームを交互に出力するだけでなく、プルダウンシーケンスのうち特定の位相（元のシネマ信号が切り替わる位相）の時、つまり、「３−１−３−１−・・・」と周期的に出力されるフレームのうち、同一のフレームが３枚連続して出力されるフレームの最後（または最初）のフレームを出力する際（Ｒ３，Ｒ４，Ｒ５）は、オリジナルフレームではなくその後（または前）の内挿フレームを出力することで、スムーズな動画を出力することが可能となる。
【００３４】
（出力フレーム選択回路１７での処理）
次に、上記の６０Ｈｚフレームの内挿処理及び５０Ｈｚフレームの内挿処理を図８及び図９の具体的な説明図により説明する。図８は、本発明の一実施形態に係るフレーム内挿装置の２−３プルダウン信号の内挿処理の一例を示す説明図、図９は、本発明の一実施形態に係るフレーム内挿装置の２−２プルダウン信号の内挿処理の一例を示す説明図である。
【００３５】
図８及び図９において、図１のフレーム内挿装置１に示される各フレーム信号Ｆ１乃至Ｆ７及びプルダウン検出信号Ｐ１，プルダウン位相信号Ｐ２が、図８及び図９の各信号Ｆ１乃至Ｆ７，Ｐ１，Ｐ２にそれぞれ対応している。
【００３６】
現フレームオリジナル信号Ｆ１と１フレーム遅延オリジナル信号Ｆ２より、プルダウン検出回路１６は、プルダウン検出信号Ｐ１、及びプルダウン位相信号Ｐ２を生成し、その結果は現フレーム信号により２フレーム遅延させた出力フレームの選択に利用される。通常は、オリジナルフレームとして２フレーム遅延オリジナル信号Ｆ３を、内挿フレームとして１フレーム遅延内挿信号Ｆ５を出力する。
【００３７】
・２−３プルダウン処理
すなわち、図８において、図１のフレーム内挿装置１に示される各フレーム信号Ｆ１乃至Ｆ７及びプルダウン検出信号Ｐ１，プルダウン位相信号Ｐ２が、図８及び図９の各信号Ｆ１乃至Ｆ７，Ｐ１，Ｐ２にそれぞれ対応する。現フレームオリジナル信号Ｆ１、１フレーム遅延オリジナル信号Ｆ２がそれぞれＢ２、Ｂ１の場合を例に挙げると、２−３プルダウン信号、かつ現フレームオリジナル信号のプルダウン位相が「ＡＡＢ[Ｂ]Ｂ」である。つまり、次フレームで出力される２フレーム遅延オリジナル信号Ｆ３のプルダウン位相は「ＡＡ[Ｂ]ＢＢ」に対応する。そのため、倍速出力Ｆ７で出力される次フレームは、通常のオリジナルフレームＢ１、内挿フレームＢ１Ｂ２ではなく、内挿フレームＡ２Ｂ１、Ｂ１Ｂ２を出力する。
【００３８】
また、現フレームオリジナル信号Ｆ１、１フレーム遅延オリジナル信号Ｆ２がそれぞれＢ３、Ｃ１の場合、２−３プルダウン信号、かつ現フレームオリジナル信号Ｆ１のプルダウン位相が「[Ａ]ＡＢＢＢ」である。つまり、次フレームで出力される２フレーム遅延オリジナル信号Ｆ３のプルダウン位相は「ＡＡＢＢ[Ｂ]」に対応している。そのため、倍速出力Ｆ７で出力される次フレームは、通常のオリジナルフレームＢ３、内挿フレームＢ３Ｃ１ではなく、内挿フレームＢ３Ｃ１を連続出力する。
【００３９】
・２−２プルダウン処理
図９において、図１のフレーム内挿装置１に示される各フレーム信号Ｆ１乃至Ｆ７及びプルダウン検出信号Ｐ１，プルダウン位相信号Ｐ２が、図８及び図９の各信号Ｆ１乃至Ｆ７，Ｐ１，Ｐ２にそれぞれ対応する。
【００４０】
現フレームオリジナル信号Ｆ１、及び１フレーム遅延オリジナル信号Ｆ２がそれぞれＢ１、Ａ２の場合は、２−２プルダウン信号、かつ現フレームオリジナル信号Ｆ１のプルダウン位相が「[Ａ]Ａ」である。つまり、次フレームで出力される２フレーム遅延オリジナル信号Ｆ３のプルダウン位相は「Ａ[Ａ]」に対応する。
【００４１】
そのため、倍速出力Ｆ７で出力される次フレームは、通常のオリジナルフレームＡ２、内挿フレームＡ２Ｂ１ではなく、内挿フレームＡ２Ｂ１を連続出力することになる。
【００４２】
・２−３プルダウン処理の効果
次に、上述した２−３プルダウン処理による映像の平滑化の効果を考察する。図１０は、本発明の一実施形態に係るフレーム内挿装置による内挿処理による効果の一例を示したグラフである。今、フレーム“Ａ”“Ｂ”“Ｃ”上の図示しないオブジェクトが図１０に示すようにｘ方向に等間隔に移動していく場合を考える。この場合、時間的経過ｔに従って、各フレームが理想的移動線Ｒ上に並ぶことにより、円滑な動画面を実現することができる。
【００４３】
図１０においてポイントＲ１においてフレーム“Ｂ”をフレーム“ＡＢ”とすることにより、また、ポイントＲ２において、フレーム“Ｂ”をフレーム“ＢＣ”とすることにより、全体に見て円滑な１２０Ｈｚのフレーム信号ＦＮ２が実現できていることがわかる。
【００４４】
・２−２プルダウン処理の効果
次に、上述した２−２プルダウン処理による映像の平滑化の効果を考察する。図１１は、本発明の一実施形態に係るフレーム内挿装置による内挿処理による効果の一例を示したグラフである。今、フレーム“Ａ”“Ｂ”“Ｃ”上の図示しないオブジェクトが図１１に示すようにｘ方向に等間隔に移動していく場合を考える。この場合、時間的経過ｔに従って、各フレームが理想的移動線Ｒ上に並ぶことにより、円滑な動画面を実現することができる。
【００４５】
図１１においてポイントＲ３においてフレーム“Ａ”をフレーム“ＡＢ”とすることにより、また、ポイントＲ４において、フレーム“Ｂ”をフレーム“ＢＣ”とすることにより、また、ポイントＲ５において、フレーム“Ｃ”をフレーム“ＣＤ”とすることにより、全体に見て円滑な１００Ｈｚのフレーム信号ＦＮ４が実現できていることがわかる。
【００４６】
＜本発明に係る一実施形態であるフレーム内挿装置を用いた表示装置＞
次に、本発明に係る一実施形態であるフレーム内挿装置を用いた表示装置の一例を図面を用いて説明する。図１２は、本発明の一実施形態に係るフレーム内挿装置を用いた表示装置の構成の一例を示すブロック図である。
【００４７】
本発明に係る一実施形態であるフレーム内挿装置を用いた表示装置１０は、図１２に示すように、アナログの地上波または衛星波及びデジタルの地上波または衛星波等を受けて音声映像信号を出力するチューナ部１１１と、音声映像信号のＭＰＥＧデコード処理を行うＭＰＥＧデコーダ１１４と、デコードされた信号にＩＰ変換及びスケール処理を行うＩＰ変換部・スケーラ部１１５と、画質補正処理を行う画質補正部１１６と、与えられる６０Ｈｚ（ＰＡＬ，ＳＥＣＡＭは５０Ｈｚ）映像信号をフレーム内挿処理を施して倍速出力である１２０Ｈｚ（ＰＡＬ，ＳＥＣＡＭは１００Ｈｚ）映像信号を出力するフレーム内挿部１と、内挿処理が施された映像信号に応じた映像を表示するディスプレイ１１３を有する。
【００４８】
このような構成をもつ表示装置１０に上述した本発明の一実施形態に係るフレーム内挿装置１を適用することで、従来のフレーム内挿処理ではスムーズに画像を表示できなかったプルダウンシーンにおいて、スムーズな画像の表示が可能となる。
【００４９】
なお、上述した実施形態では、プルダウン検出回路からプルダウン検出信号、及びプルダウン位相信号を作成し、それに基づき出力フレームの選択を行ったが、別途プルダウン検出回路がある場合、そこから得られるプルダウン検出信号、及びプルダウン位相信号を用いて実現することも可能である。
【００５０】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００５１】
【図１】本発明の一実施形態に係るフレーム内挿装置の構成の一例を示すブロック図。
【図２】本発明の一実施形態に係るフレーム内挿装置に含まれるプルダウン検出回路の構成の一例を示すブロック図。
【図３】２４コマのシネマ信号を１２０フレームの映像信号に変換する際の模式図。
【図４】２４コマのシネマ信号を１００フレームの映像信号に変換する際の模式図。
【図５】本発明の一実施形態に係るフレーム内挿装置の内挿処理の一例を示すフローチャート。
【図６】本発明の一実施形態に係るフレーム内挿装置の２−３プルダウン信号の内挿処理の一例を示す説明図。
【図７】本発明の一実施形態に係るフレーム内挿装置の２−２プルダウン信号の内挿処理の一例を示す説明図。
【図８】本発明の一実施形態に係るフレーム内挿装置の２−３プルダウン信号の内挿処理の一例を示す説明図。
【図９】本発明の一実施形態に係るフレーム内挿装置の２−２プルダウン信号の内挿処理の一例を示す説明図。
【図１０】本発明の一実施形態に係るフレーム内挿装置による内挿処理による効果の一例を示したグラフ。
【図１１】本発明の一実施形態に係るフレーム内挿装置による内挿処理による効果の一例を示したグラフ。
【図１２】本発明の一実施形態に係るフレーム内挿装置を用いた表示装置の構成の一例を示すブロック図。
【符号の説明】
【００５２】
１…フレーム内挿装置、１１…フレーム遅延回路、１２…フレーム遅延回路、１３…内挿フレーム生成回路、１４…フレーム遅延回路、１５…フレーム遅延回路、１６…プルダウン検出回路、１７…出力選択回路。
【図１】
2008141402.tif 000003
【図２】
2008141402.tif 000004
【図３】
2008141402.tif 000005
【図４】
2008141402.tif 000006
【図５】
2008141402.tif 000007
【図６】
2008141402.tif 000008
【図７】
2008141402.tif 000009
【図８】
2008141402.tif 000010
【図９】
2008141402.tif 000011
【図１０】
2008141402.tif 000012
【図１１】
2008141402.tif 000013
【図１２】
2008141402.tif 000014